(57)【要約】      （修正有）【課題】バットの素振り時に、スイングスピードやスイング回数の計測を可能とするバットスイング計測装置を提供する。【解決手段】センサー（例えば加速度センサー）とマイコン等を内蔵して、演算によりスイングスピードやスイング回数を求め、表示手段（例えば７セグメントＬＥＤやＬＣＤ）によりスピードや回数を表示できる計測装置３をバットに取り付ける。また、バットに取付可能とするため、固定リング１と滑り止めベルト２を組み合わせてバットに取り付けて、該滑り止めベルト２の凹凸部と、計測装置本体３の底面にある凹凸部とを密着させて滑り止めとすると共に、固定バンド４により該計測装置本体３をバットに固定する。【選択図】図１
0003160720.tif 000002
【実用新案登録請求の範囲】
【請求項１】
野球やソフトボールのスイング（素振り）練習に使用する装置であって、バットのスイングスピードとスイング回数を計測するための検出手段と、該検出手段からの信号によりバットのスイングスピードとスイング回数を演算するマイコン手段と、マイコンの演算結果からバットのスイングスピードとスイング回数を表示するための表示手段と、該マイコンに動作の指示等を与える入力手段とを持つ事を特徴とするバットスイング計測装置。
【請求項２】
請求項１に記載の計測装置は、固定金具、ベルト、バンド等を用いて、一般市販されるバットに必要な時に装着、不要な時に外す事ができる事を特徴とする請求項１に記載のバットスイング計測装置。
【考案の詳細な説明】
【技術分野】
【０００１】
本考案は、野球やソフトボールに使用するバットに取り付け、該バットのスイング（素振り）スピードやスイング（素振り）回数を計測する装置に関するものである。
【背景技術】
【０００２】
従来よりバットのスイングスピードを計測する方法として、バットの中に計測装置を組み込んだ計測専用のバットはある。またバットのスイング回数を計測する方法として歩数計を応用した腕に巻くタイプのものがある。
【０００３】
しかし、スイングスピードを計測するには計測専用のバットが必要であったり、スイング回数のみカウントをしたいのに歩数計を応用したタイプでは、ただ単に腕を振るだけでカウントしてしまうなどの欠点があった。
【０００４】
さらに、スイングスピードとスイング回数を同時に計測できる計測装置は無い。
【先行技術文献】
【特許文献】
【０００５】
【特許文献１】特開２００１−１２９１４５号公報
【考案の概要】
【考案が解決しようとする課題】
【０００６】
解決しようとする問題点は、スイングスピード計測には計測専用のバットが必要になってしまう点と、スイング回数のみカウントしたいのに、ただ単に腕を振るでけでカウントしてしまう点である。
【課題を解決するための手段】
【０００７】
本考案は、一般市販されているバットに簡単に着脱ができ、スイングスピードを計測すると共に正確なスイング回数を計測できる事を最も主要な特徴とする。
【考案の効果】
【０００８】
一般市販されているバットに装置を装着するだけで済み、計測専用のバットを購入する必要がないので購入コストが安く済む。
【０００９】
また市販のバットが使用できるので、バットのメーカーや材質は自分にあった物を選択できるという利点がある。
【図面の簡単な説明】
【００１０】
【図１】図１はバットスイング計測装置の実施方法を示した説明図である。（実施例１）
【考案を実施するための形態】
【００１１】
市販のバットに取りつけるという目的を、最少の部品点数で実現した。
【実施例１】
【００１２】
図１は、本考案装置の１実施例の説明図であって、１は固定リング、２は滑り止めベルト、３は計測装置本体、４は固定バンド、５は表示ランプ、６は操作スイッチ、７は表示器である。
【００１３】
計測装置本体３の中には、バットのスイングスピードとスイング回数を計測するためのセンサーと、該センサーの信号を演算処理するマイコン基板と、該マイコン基板を動作させるための電源が内蔵されている。
【００１４】
該センサーは加速度センサーの使用が望ましく、該センサーの信号をスイングスピードの計測に使用するだけでなく、スイング回数の計測にも使用する事により、一定スピード以下のスイングをノーカウントとする事ができ、正確なスイング回数を計測する事ができる。
【００１５】
該マイコン基板は、該センサーからの信号を基に演算処理を行い、スイングスピードとスイング回数を計算する。また計算結果は、該マイコン基板により７セグメント表示データに変換され、表示器７にスイングスピードまたはスイング回数として数値にて表示される。
【００１６】
なお表示器７は、ＬＥＤ表示またはＬＣＤ表示とするのが良い。
【００１７】
表示ランプ５は、装置電源のＯＮ表示、動作モードの表示、バッテリー残量警告等、各種表示を行う。
【００１８】
操作スイッチ６は、装置電源のＯＮ／ＯＦＦ、動作モードの変更等、マイコンへの各種動作の指示を行う。
【００１９】
実施例では、バットのスイングスピードとスイング回数を同時に計測する装置としたが、コストや用途に合わせ、スイングスピードのみ計測する装置、またはスイング回数のみ計測する装置としてもよい。
【００２０】
一般市販されるバットに取付可能とするため、固定リング１と滑り止めベルト２を組み合わせてバットに取り付けて、該滑り止めベルト２の凹凸部と、計測装置本体３の底面にある凹凸部とを密着させて滑り止めとすると共に、固定バンド４により該計測装置本体３をバットに固定する。
【産業上の利用可能性】
【００２１】
計測装置本体３は簡単に着脱できる構造となっており、取り付け治具を交換する事によりバット以外にも、例えばゴルフクラブあるいはテニスやバトミントン等のラケットなどのスイングスピードやスイング回数の計測にも適用できる。
【符号の説明】
【００２２】
１    固定リング
２    滑り止めベルト
３    計測装置本体
４    固定バント
５    表示ランプ
６    操作スイッチ
７    表示器
【図１】
0003160720.tif 000003
【手続補正書】
【提出日】平成21年9月22日(2009.9.22)
【手続補正１】
【補正対象書類名】実用新案登録請求の範囲
【補正対象項目名】請求項１
【補正方法】変更
【補正の内容】
【請求項１】
野球やソフトボールのスイング（素振り）練習に使用する装置であって、バットのスイングスピードとスイング回数を計測するための検出手段と、該検出手段からの信号によりバットのスイングスピードとスイング回数を演算するマイコン手段と、マイコンの演算結果からバットのスイングスピードとスイング回数を表示するための表示手段と、該マイコンに、スイングスピードの最高値、最低値、平均値の何れを表示するかの指示を与えるセレクトスイッチ及びスイング回数の目標値を設定するテンキースイッチなどの入力手段とを持つ事を特徴とするバットスイング計測装置。
【手続補正書】
【提出日】平成21年12月23日(2009.12.23)
【手続補正１】
【補正対象書類名】実用新案登録請求の範囲
【補正対象項目名】全文
【補正方法】変更
【補正の内容】
【実用新案登録請求の範囲】
【請求項１】
野球やソフトボールのスイング（素振り）練習に使用する装置であって、バットのスイングスピードとスイング回数を計測するための検出手段と、該検出手段からの信号によりバットのスイングスピードとスイング回数を演算するマイコン手段と、マイコンの演算結果からバットのスイングスピードとスイング回数を表示するための表示手段と、該マイコンに、スイングスピードの最高値、最低値、平均値の何れを表示するかの指示を与えるセレクトスイッチ及びスイング回数の目標値を設定するテンキースイッチの入力手段とを持つ事を特徴とするバットスイング計測装置。
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
野球やソフトボールのスイング（素振り）練習に使用する装置であって、バットのスイングスピードとスイング回数を計測するための検出手段と、該検出手段からの信号によりバットのスイングスピードとスイング回数を演算するマイコン手段と、マイコンの演算結果からバットのスイングスピードとスイング回数を表示するための表示手段と、該マイコンへの入力手段として、スイングスピードの最高値、最低値、平均値の何れを表示するかの指示を与えるセレクトスイッチ及びスイング回数の目標値を設定するテンキースイッチとを持つ事を特徴とするバットスイング計測装置。